(57)【要約】【課題】  フォルダツリー構造図に展開されたフォルダが煩わしい操作をしなくても見やすくなり、所望のフォルダおよびその内容を速やかに検索等できるフォルダ管理装置等を提供する。【解決手段】  入力手段２により指示されたフォルダを表示手段１の画面上にツリー構造図として階層展開させる表示処理手段３１と、階層展開されたフォルダＦの名称Ｎがフォルダ表示エリアＳ１からはみ出すか否かを判定する判定手段３２とを備え、フォルダ名称Ｎがフォルダ表示エリアＳ１からからはみ出すと判定されたときには、前記表示処理手段３１によりフォルダ名称Ｎのはみ出した部位Ｎａを半透明化して表示させる。【選択図】    図４
2005190369.tif 000002
【特許請求の範囲】
【請求項１】
画面上のウィンドウにおけるフォルダ表示エリアおよびファイル表示エリアに、フォルダおよびファイルをそれぞれ表示可能な表示手段と、
前記表示手段の画面上に表示されたフォルダの中から所定のフォルダの階層展開を指示するための入力手段と、
前記入力手段により所定のフォルダの階層展開が指示された時に、その指示されたフォルダを基準にして、フォルダの階層をツリー構造図として作成し、フォルダを表すアイコンおよびフォルダ名称を用いて各フォルダを前記フォルダ表示エリアに表示させる表示処理手段と、
前記階層展開されたフォルダの名称が前記ウィンドウにおけるフォルダ表示エリアからはみ出すか否かを判定する判定手段とを備え、
前記判定手段によりフォルダ名称がフォルダ表示エリアからはみ出すと判定された際には、前記表示処理手段は、前記フォルダ名称のはみ出した部位を半透明化して表示させることを特徴とするフォルダ管理装置。
【請求項２】
前記判定手段は、階層展開されたフォルダのアイコンが前記ウィンドウにおけるフォルダ表示エリアからはみ出すか否かを判定する機能を有し、
前記判定手段によりフォルダアイコンがフォルダ表示エリアからはみ出すと判定された際には、前記表示処理手段は、前記フォルダアイコン全体が表示されるように、前記フォルダ表示エリアを変更する請求項１に記載のフォルダ管理装置。
【請求項３】
前記判定手段は、前記フォルダの階層展開がフォルダの近傍に表示されたマークを指示することで実行されたか、フォルダを直接指示することで実行されたかを判定する機能を有し、
前記判定手段により、フォルダ展開が前記マークを指示することで実行されたと判定された場合には、前記表示処理手段は、展開されたフォルダアイコンが全て表示されるようにフォルダ表示エリアを変更し、フォルダを直接指示することで実行されたと判定された場合には、前記表示処理手段は、前記フォルダ名称のはみ出した部位の半透明化表示を解除する請求項２に記載のフォルダ管理装置。
【請求項４】
フォルダを直接指示することで実行されたと判定された場合には、前記表示処理手段は、フォルダ表示エリアの大きさを初期状態に戻す請求項３に記載のフォルダ管理装置。
【請求項５】
画面上のウィンドウにおけるフォルダ表示エリアおよびファイル表示エリアにフォルダおよびファイルをそれぞれ表示可能な表示手段における前記画面上に表示されたフォルダの中から所定のフォルダが指示された際には、その指示されたフォルダを基準にして、フォルダの階層をツリー構造図として作成し、フォルダを表すアイコンおよびフォルダ名称を用いて各フォルダを前記フォルダ表示エリアに表示するステップと、
前記階層展開されたフォルダの名称が前記ウィンドウにおけるフォルダ表示エリアからはみ出すか否かを判定するステップと、
前記フォルダ名称がフォルダ表示エリアからはみ出すと判定された際には、該フォルダ名称のはみ出した部位を半透明化して表示させるステップと、
を備えたことを特徴とするフォルダ管理方法。
【請求項６】
階層展開されたフォルダのアイコンが前記ウィンドウにおけるフォルダ表示エリアからはみ出すか否かを判定するステップと、
前記フォルダアイコンがフォルダ表示エリアからはみ出すと判定された際には、前記フォルダアイコン全体が表示されるように、前記フォルダ表示エリアを変更するステップと、
を備えている請求項５に記載のフォルダ管理方法。
【請求項７】
前記フォルダの階層展開がフォルダの近傍に表示されたマークを指示することで実行されたか、フォルダを直接指示することで実行されたかを判定するステップと、
前記フォルダ展開が前記マークを指示することで実行されたと判定された場合には、展開されたフォルダアイコンが全て表示されるようにフォルダ表示エリアを変更し、フォルダを直接指示することで実行されたと判定された場合には、前記フォルダ名称のはみ出した部位の半透明化表示を解除するするステップと、
を備えている請求項６に記載のフォルダ管理方法。
【請求項８】
フォルダを直接指示することで実行されたと判定された場合には、フォルダ表示エリアの大きさを初期状態に戻す請求項７に記載のフォルダ管理方法。
【請求項９】
画面上のウィンドウにおけるフォルダ表示エリアおよびファイル表示エリアにフォルダおよびファイルをそれぞれ表示可能な表示手段における前記画面上に表示されたフォルダの中から所定のフォルダが指示された際には、その指示されたフォルダを基準にして、フォルダの階層をツリー構造図として作成し、フォルダを表すアイコンおよびフォルダ名称を用いて各フォルダを前記フォルダ表示エリアに表示するステップと、
前記階層展開されたフォルダの名称が前記ウィンドウにおけるフォルダ表示エリアからはみ出すか否かを判定するステップと、
前記フォルダ名称がフォルダ表示エリアからはみ出すと判定された際には、該フォルダ名称のはみ出した部位を半透明化して表示させるステップと、
をコンピュータに実行させるためのフォルダ管理プログラム。
【請求項１０】
階層展開されたフォルダのアイコンが前記ウィンドウにおけるフォルダ表示エリアからはみ出すか否かを判定するステップと、
前記フォルダアイコンがフォルダ表示エリアからはみ出すと判定された際には、前記フォルダアイコン全体が表示されるように、前記フォルダ表示エリアを変更するステップと、
をコンピュータにさらに実行させる請求項９に記載のフォルダ管理プログラム。
【請求項１１】
前記フォルダの階層展開がフォルダの近傍に表示されたマークを指示することで実行されたか、フォルダを直接指示することで実行されたかを判定するステップと、
前記フォルダ展開が前記マークを指示することで実行されたと判定された場合には、展開されたフォルダアイコンが全て表示されるようにフォルダ表示エリアを変更し、フォルダを直接指示することで実行されたと判定された場合には、前記フォルダ名称のはみ出した部位の半透明化表示を解除するステップと、
をコンピュータにさらに実行させる請求項１０に記載のフォルダ管理プログラム。
【請求項１２】
フォルダを直接指示することで実行されたと判定された場合には、フォルダ表示エリアの大きさを初期状態に戻すステップをコンピュータにさらに実行させる請求項１１に記載のフォルダ管理プログラム。
【請求項１３】
請求項９〜１２のうちのいずれかに記載のフォルダ管理プログラムが記録されているコンピュータ読み取り可能な記録媒体。
【発明の詳細な説明】
【技術分野】
【０００１】
この発明は、パーソナルコンピュータなどに適用されて、複数の情報をフォルダ形式で管理する場合に使用されるフォルダ管理装置およびフォルダ管理方法、フォルダ管理プログラム並びに記録媒体に関する。
【背景技術】
【０００２】
パーソナルコンピュータなどでは、ＧＵＩ（Graphical User Interface) 制御により画面上に各種のアイコンを表示して、ユーザに対して直観的で分かりやすい操作を可能にしている。例えば、プログラム、ファイルなどをアイコンで表示し、画面上に表示しておけば、ユーザがマウスで所定のアイコンを指示するだけで、プログラムを実行したり、ファイルの内容を表示したりすることができる。このようなＧＵＩは、コンピュータを利用した各種の管理システムや制御システムなどにおいても利用されている。
【０００３】
例えば、ファイル管理システムでは、複数の情報をフォルダ形式でデータベースに格納し、各情報を系統だてて管理することが行われている。このとき、データベースにフォルダを作ると、フォルダ間の包含関係を表すフォルダツリー構造図（フォルダ階層構造図）が作成され、各フォルダにフォルダ名が付けられて、フォルダアイコンと共に、ウィンドウにおけるフォルダ表示エリアに表示される。
【０００４】
ユーザがフォルダツリー構造図上で所定のフォルダを指示すると、その中身が表示される。すなわち、その指示したフォルダが包含され、かつその指示したフォルダの一つ下位のフォルダが表示される。このように、上位のフォルダから順次下位のフォルダを表示していくことにより、所望の情報が入っているファイルを容易に見いだすことができる。
【０００５】
ところで、情報が非常に多くなると、フォルダツリー構造図そのものが極めて大きくなる。ウィンドウ画面上の限られたスペースに表示されるので、上位フォルダから順次下位のフォルダを表示して、所望のフォルダを見つける作業をしていくと、フォルダツリー構造図全体がウィンドウにおけるフォルダ表示エリアに入りきらず、一部のみしか表示されなくなることがある。
【０００６】
このような場合、ユーザがスクロールバーを操作してフォルダツリー構造図の表示位置を上下左右に移動したり、あるいは、フォルダ表示エリア幅を拡大したりすることにより、所望のフォルダが該フォルダ表示エリアに含まれるようにしていたが、このように、ユーザが一々、フォルダツリー構造図の表示位置を移動したりするのは、かなり面倒な作業で手間がかかり、操作性に劣るという問題があった。
【０００７】
これを解決するため、従来、すでに、フォルダツリー構造の表示において、フォルダを操作した際に、（１）階層が深くなればなるほど、フォルダ名が表示されるように、フォルダ表示エリア幅を自動的に拡大するようにしたり、（２）フォルダ表示エリアに指定フォルダより下位階層のフォルダが表示されるように、上位フォルダを見えなくなるように移動させたり、（３）ウィンドウを２分割して、一方に上位フォルダを、他方に下位のフォルダを分けて表示させるようにした技術が提案されている（例えば、特許文献１）。
【特許文献１】特開２０００−２１４９７号公報
【発明の開示】
【発明が解決しようとする課題】
【０００８】
しかし、上記した従来の技術（１）においては、フォルダ名が見えやすくなるようにウィンドウにおけるフォルダ表示エリアを拡大するため、ウィンドウにおけるファイル表示エリアが縮小してしまうことになり、ファイル操作がやりにくくなる。また、上記した技術（２）においては、指定したフォルダよりも上位階層のフォルダの表示を犠牲にするので、その上位階層のフォルダの操作はやりにくくなるという問題がある。さらに、上記した技術（３）においては、フォルダ名称自体が長い場合には、手動でフォルダ表示エリア幅を広げなくてはならないという問題が残るものであった。
【０００９】
この発明は、上記事情に鑑みてなされたものであり、ツリー構造図に展開されたフォルダを煩わしい操作をしなくても見やすくさせることができ、所望のフォルダおよびその内容を速やかに検索できるフォルダ管理装置、フォルダ管理方法、フォルダ管理プログラム並びに記録媒体を提供することを課題としている。
【課題を解決するための手段】
【００１０】
上記課題は、画面上のウィンドウにおけるフォルダ表示エリアおよびファイル表示エリアに、フォルダおよびファイルをそれぞれ表示可能な表示手段と、前記表示手段の画面上に表示されたフォルダの中から所定のフォルダの階層展開を指示するための入力手段と、前記入力手段により所定のフォルダの階層展開が指示された時に、その指示されたフォルダを基準にして、フォルダの階層をツリー構造図として作成し、フォルダを表すアイコンおよびフォルダ名称を用いて各フォルダを前記フォルダ表示エリアに表示させる表示処理手段と、前記階層展開されたフォルダの名称が前記ウィンドウにおけるフォルダ表示エリアからはみ出すか否かを判定する判定手段とを備え、前記判定手段によりフォルダ名称がフォルダ表示エリアからはみ出すと判定された際には、前記表示処理手段は、前記フォルダ名称のはみ出した部位を半透明化して表示させることを特徴とするフォルダ管理装置によって解決される。
【００１１】
このフォルダ管理装置では、フォルダがツリー構造で展開された際に、フォルダ名称がフォルダ表示エリアからはみ出した場合、これが判定手段により判定され、表示処理手段により、前記フォルダ名称のはみ出した部位が半透明化され表示される。従って、フォルダ表示エリアを手動で広げる操作をしなくてもフォルダ名称を理解することができる。
【００１２】
上記フォルダ管理装置において、前記判定手段は、階層展開されたフォルダのアイコンが前記ウィンドウにおけるフォルダ表示エリアからはみ出すか否かを判定する機能を有し、前記判定手段によりフォルダアイコンがフォルダ表示エリアからはみ出すと判定された際には、前記表示処理手段は、前記フォルダアイコン全体が表示されるように、前記フォルダ表示エリアを変更する構成としても良い。
【００１３】
このフォルダ管理装置では、判定手段によりフォルダアイコンがフォルダ表示エリアからはみ出すと判定された際には、表示処理手段により、前記フォルダアイコン全体が表示されるように、前記フォルダ表示エリアが変更される。
【００１４】
この場合、前記判定手段は、前記フォルダの階層展開がフォルダの近傍に表示されたマークを指示することで実行されたか、フォルダを直接指示することで実行されたかを判定する機能を有し、前記判定手段により、フォルダ展開が前記マークを指示することで実行されたと判定された場合には、前記表示処理手段は、展開されたフォルダアイコンが全て表示されるようにフォルダ表示エリアを変更し、フォルダを直接指示することで実行されたと判定された場合には、前記表示処理手段は、前記フォルダ名称のはみ出した部位の半透明化表示を解除する構成としても良い。
【００１５】
このフォルダ管理装置では、判定手段により、フォルダ展開が前記マークを指示することで実行されたと判定された場合に、展開されたフォルダアイコンが全て表示されるようにフォルダ表示エリアが変更され、フォルダを直接指示することで実行されたと判定された場合には、フォルダ名称のはみ出した部位の半透明化表示が解除される。
【００１６】
また、フォルダを直接指示することで実行されたと判定された場合には、前記表示処理手段は、フォルダ表示エリアの大きさを初期状態に戻すものとしても良い。
【００１７】
前記課題は、画面上のウィンドウにおけるフォルダ表示エリアおよびファイル表示エリアにフォルダおよびファイルをそれぞれ表示可能な表示手段における前記画面上に表示されたフォルダの中から所定のフォルダが指示された際には、その指示されたフォルダを基準にして、フォルダの階層をツリー構造図として作成し、フォルダを表すアイコンおよびフォルダ名称を用いて各フォルダを前記フォルダ表示エリアに表示するステップと、前記階層展開されたフォルダの名称が前記ウィンドウにおけるフォルダ表示エリアからはみ出すか否かを判定するステップと、前記フォルダ名称がフォルダ表示エリアからはみ出すと判定された際には、該フォルダ名称のはみ出した部位を半透明化して表示させるステップと、を備えたことを特徴とするフォルダ管理方法によっても解決される。
【００１８】
このフォルダ管理方法では、フォルダがツリー構造で展開された際に、フォルダ名称がフォルダ表示エリアからはみ出したことが判定されると、前記フォルダ名称のはみ出した部位が半透明化され表示される。
【００１９】
このフォルダ管理方法は、階層展開されたフォルダのアイコンが前記ウィンドウにおけるフォルダ表示エリアからはみ出すか否かを判定するステップと、前記フォルダアイコンがフォルダ表示エリアからはみ出すと判定された際には、前記フォルダアイコン全体が表示されるように、前記フォルダ表示エリアを変更するステップと、を備えていても良い。これにより、フォルダアイコンがフォルダ表示エリアからはみ出すと判定された際には、前記フォルダアイコン全体が表示されるように、前記フォルダ表示エリアが変更される。
【００２０】
さらにこの場合、前記フォルダの階層展開がフォルダの近傍に表示されたマークを指示することで実行されたか、フォルダを直接指示することで実行されたかを判定するステップと、前記フォルダ展開が前記マークを指示することで実行されたと判定された場合には、展開されたフォルダアイコンが全て表示されるようにフォルダ表示エリアを変更し、フォルダを直接指示することで実行されたと判定された場合には、前記フォルダ名称のはみ出した部位の半透明化表示を解除するするステップと、を備えていても良い。
【００２１】
このフォルダ管理方法では、フォルダ展開が前記マークを指示することで実行されたと判定された場合に、展開されたフォルダアイコンが全て表示されるようにフォルダ表示エリアが変更され、フォルダを直接指示することで実行されたと判定された場合には、フォルダ名称のはみ出した部位の半透明化表示が解除される。
【００２２】
また、フォルダを直接指示することで実行されたと判定された場合には、フォルダ表示エリアの大きさを初期状態に戻すものとしても良い。
【００２３】
また、前記課題は、画面上のウィンドウにおけるフォルダ表示エリアおよびファイル表示エリアにフォルダおよびファイルをそれぞれ表示可能な表示手段における前記画面上に表示されたフォルダの中から所定のフォルダが指示された際には、その指示されたフォルダを基準にして、フォルダの階層をツリー構造図として作成し、フォルダを表すアイコンおよびフォルダ名称を用いて各フォルダを前記フォルダ表示エリアに表示するステップと、前記階層展開されたフォルダの名称が前記ウィンドウにおけるフォルダ表示エリアからはみ出すか否かを判定するステップと、前記フォルダ名称がフォルダ表示エリアからはみ出すと判定された際には、該フォルダ名称のはみ出した部位を半透明化して表示させるステップと、をコンピュータに実行させるためのフォルダ管理プログラムによっても解決される。
【００２４】
このフォルダ管理プログラムでは、フォルダがツリー構造で展開された際に、フォルダ名称がフォルダ表示エリアからはみ出したことが判定されると、前記フォルダ名称のはみ出した部位を半透明化する動作が、コンピュータにより実行される。
【００２５】
前記フォルダ管理プログラムは、階層展開されたフォルダのアイコンが前記ウィンドウにおけるフォルダ表示エリアからはみ出すか否かを判定するステップと、前記フォルダアイコンがフォルダ表示エリアからはみ出すと判定された際には、前記フォルダアイコン全体が表示されるように、前記フォルダ表示エリアを変更するステップと、をコンピュータにさらに実行させるものとしても良い。
【００２６】
また、前記フォルダの階層展開がフォルダの近傍に表示されたマークを指示することで実行されたか、フォルダを直接指示することで実行されたかを判定するステップと、前記フォルダ展開が前記マークを指示することで実行されたと判定された場合には、展開されたフォルダアイコンが全て表示されるようにフォルダ表示エリアを変更し、フォルダを直接指示することで実行されたと判定された場合には、前記フォルダ名称のはみ出した部位の半透明化表示を解除するステップと、をコンピュータにさらに実行させるものとしても良い。
【００２７】
また、フォルダを直接指示することで実行されたと判定された場合には、フォルダ表示エリアの大きさを初期状態に戻すステップをコンピュータにさらに実行させても良い。
【００２８】
また、前記課題は、前述したフォルダ管理プログラムのいずれかが記録されているコンピュータ読み取り可能な記録媒体によっても解決される。
【発明の効果】
【００２９】
請求項１に係る発明によれば、フォルダがツリー構造で展開された際に、フォルダ名称がフォルダ表示エリアからはみ出しても、そのフォルダ名称におけるはみ出し部分が自動的に半透明化して表示されるので、フォルダ表示エリアを手動で広げる操作をしなくてもフォルダ名称を理解することができ、フォルダの検索が容易に行うことができる。
【００３０】
請求項２に係る発明によれば、フォルダがツリー構造で展開された際に、フォルダアイコンがフォルダ表示エリアからはみ出している場合には、上記フォルダ表示エリアが自動的に変更され、前記フォルダアイコン全体を見やすくできる。
【００３１】
請求項３に係る発明によれば、フォルダの階層展開がフォルダ近傍に表示されたマークを指示することで実行された場合には、フォルダ展開のための操作と見なされて、展開されたフォルダアイコンが全て表示されるように、自動的にウィンドウのフォルダ表示エリア幅が変更されるから、フォルダアイコン全体を見やすくできる。一方、フォルダを直接指示することで実行されたと判定された場合には、フォルダ内容の閲覧と見なされ、前記フォルダ名称のはみ出した部位の半透明化表示が解除されるから、ファイル表示エリアの良好な表示状態を確保できる。
【００３２】
請求項４に係る発明によれば、フォルダを直接指示することで実行されたと判定された場合には、フォルダ表示エリアの大きさが初期状態に戻されるから、ファイル表示エリアが拡大されてファイル表示エリアの表示内容をさらに見やすくできる。
【００３３】
請求項５に係る発明によれば、フォルダがツリー構造で展開された際に、フォルダ名称がフォルダ表示エリアからはみ出しても、そのフォルダ名称が自動的に半透明化されて表示されるので、フォルダ名称を理解することができ、フォルダ表示エリアを手動で広げる操作をしなくても、フォルダの検索を容易に行うことができる。
【００３４】
請求項６に係る発明によれば、フォルダがツリー構造で展開された際に、フォルダアイコンがフォルダ表示エリアからはみ出している場合には、上記フォルダ表示エリアが自動的に変更されるから、前記フォルダアイコン全体を見やすくできる。
【００３５】
請求項７に係る発明によれば、フォルダの階層展開がフォルダ近傍に表示されたマークを指示することで実行された場合には、フォルダ展開のための操作と見なして、展開されたフォルダアイコンが全て表示されるように、自動的にウィンドウのフォルダ表示エリア幅が変更されるから、フォルダアイコン全体を見やすくできる。一方、フォルダを直接指示することで実行されたと判定された場合には、フォルダ内容の閲覧と見なされ、前記フォルダ名称のはみ出した部位の半透明化表示が解除されるから、ファイル表示エリアの良好な表示状態を確保できる。
【００３６】
請求項８に係る発明によれば、フォルダを直接指示することで実行されたと判定された場合には、フォルダ表示エリアの大きさが初期状態に戻されるから、ファイル表示エリアが拡大されてファイル表示エリアの表示内容をさらに見やすくできる。
【００３７】
請求項９に係る発明によれば、フォルダがツリー構造で展開された際に、フォルダ名称がフォルダ表示エリアからはみ出しても、そのフォルダ名称が自動的に半透明化されて表示される動作を、コンピュータに実行させることができる。
【００３８】
請求項１０に係る発明によれば、フォルダがツリー構造で展開された際に、フォルダアイコンがフォルダ表示エリアからはみ出している場合には、上記フォルダ表示エリアが自動的に変更する動作を、コンピュータに実行させることができる。
【００３９】
請求項１１に係る発明によれば、フォルダの階層展開がフォルダ近傍に表示されたマークを指示することで実行された場合には、展開されたフォルダアイコンが全て表示されるように、自動的にウィンドウのフォルダ表示エリア幅が変更され、フォルダを直接指示することで実行されたと判定された場合には、フォルダ名称のはみ出した部位の半透明化表示が解除される動作を、コンピュータに実行させることができる。
【００４０】
請求項１２に係る発明によれば、フォルダを直接指示することで実行されたと判定された場合には、フォルダ表示エリアの大きさを初期状態に戻す動作を、コンピュータに実行させることができる。
【００４１】
請求項１３に係る発明によれば、請求項９〜１２のうちのいずれかに記載のフォルダ管理プログラムが記録媒体によって提供され、これらプログラムのうちのいずれかにより規定された動作をコンピュータに実行させることができる。
【発明を実施するための最良の形態】
【００４２】
以下、この発明の一実施形態を図面に基づいて説明する。
【００４３】
図１は、この発明に係るフォルダ管理装置の構成を示すブロック図であり、図２はフォルダの展開前の初期画面を示す図であり、図３は、図２の初期画面から展開されたフォルダツリー構造図の説明図である。
【００４４】
図１において、このフォルダ管理装置は、表示装置１と、位置入力装置２と、中央演算装置（ＣＰＵという）３と、データベース４と、記憶部５とを備えている。
【００４５】
前記データベース１４は、情報の格納手段として機能するもので、複数の情報をフォルダ形式で格納するものであり、例えばハードディスクなどが使用される。フォルダは、周知のように、プログラムやファイルを入れる入れ物である。ファイルは、その中にファイルを包含することはできないが、フォルダは、その中にフォルダやファイルを包含できる。各フォルダは、その中に、フォルダＩＤやフォルダ名を持っている。このように、情報をフォルダ形式で格納することにより、各情報を系統立てて管理することができる。
【００４６】
前記表示装置１１は、各フォルダの包含関係を表すフォルダ階層構造図としてのフォルダツリー構造図を画面上に表示したりするものであり、例えばＣＲＴや液晶表示装置からなり、その画面には、図２及び図３に示すようなウィンドウＷが開かれる。このウィンドウＷは、フォルダツリー構造図が表示されるフォルダ表示エリアＳ１と、フォルダ内容を表示するためのファイル表示エリアＳ２とを備えている。
【００４７】
前記位置入力装置２は、前記表示装置１の画面上のフォルダ表示エリアＳ１に表示されたフォルダツリー構造図において、所定のフォルダＦを指示するためのものであり、マウスもしくはトラックボール、あるいは、タブレットペンなどのタッチ入力ペンなどが用いられる。
【００４８】
前記ＣＰＵ３は、表示処理部３１と判定処理部３２とを備えている。表示処理部３１は、前記マウスなどの位置入力装置２により所定のフォルダＦに対して指示を受けた時に、その指示されたフォルダＦを階層展開するともに、ツリー構造図として前記表示装置１の画面上におけるフォルダ表示エリアＳ１に表示させるものである。なお、データベース４にフォルダを作成したり、フォルダツリー構造図を作成することは、公知の技術を用いて行うことができるので、ここでは、それらの説明を省略する。
【００４９】
また、判定処理部３２は、階層展開されたフォルダＦのフォルダ名称ＮおよびフォルダアイコンＩが、前記フォルダ表示エリアＳ１からファイル表示エリアＳ２にはみ出すか否かを判定したり、さらに、フォルダ展開がフォルダ左側近傍に表示されたマークであるプラスサイン（「＋」）Ｐ１をクリックすることで実行されたか否かを判定したり、フォルダ階層展開がフォルダＦを直接クリックして実行されたもの否かを判定する機能を有している。なお、マイナスサイン（「−」）Ｐ２は、フォルダ展開を閉じる方向の動作を指示するものである。
【００５０】
前記表示処理部３１は、前記判定処理部３２によりフォルダ名称Ｎがフォルダ表示エリアＳ１からはみ出すと判定されたときには、図３に示すように、該フォルダ名称Ｎのはみ出した部位を半透明化して表示させるように制御する。
【００５１】
さらに前記表示処理部３１は、フォルダ展開が前記プラスサイン（「＋」）Ｐ１をクリックすることにより実行されたと判定された場合には、フォルダ展開のための指示操作と見なし、展開した下位のフォルダアイコンＩが前記フォルダ表示エリアＳ１からファイル表示エリアＳ２にはみ出していれば、図４に示すように、前記アイコンＩがはみ出さないように、フォルダ表示エリアＳ１とファイル表示エリアＳ２との境界Ｌをフォルダ表示エリアＳ１の拡大方向に移動させる。
【００５２】
また、フォルダ展開がフォルダＦのアイオコＩなどを直接クリックして実行されたと判定されると、そのフォルダの内容（そのフォルダに入っているファイル）を閲覧するための操作であると見なして、図５に示すように、半透明化部位Ｎａの表示を解除するとともに、前記境界Ｌをフォルダ表示エリアＳ１の縮小方向に移動させる。あるいは図６に示すように、半透明化部位Ｎａの表示を解除すると共に境界Ｌを初期設定位置に戻したりする。このような動作により、ファイル表示エリアＳ２の良好な表示状態を確保させるようになっている。
【００５３】
なお、図５及び図６については再度後述する。
【００５４】
前記記憶部５は、前記表示処理プログラムや判定プログラムなどを記憶する記録媒体である。この記録媒体としては、フロッピーディスク、ハードディスク、光ディスク、光磁気ディスク、ＣＤ−ＲＯＭ等を用いることができる。
【００５５】
この実施形態では、図２に示す画面初期状態において、フォルダＦの横に示されているプラスサイン３１をクリックするか、フォルダＦを直接にクリックすることにより、そのフォルダＦに含まれる下位のフォルダＦが展開され、さらにその下位のフォルダＦを展開指示することにより、その下位のフォルダに含まれるフォルダが展開され、こうして図３に示すように、複数のフォルダＦが各アイコン及び名称を横列配置された状態で、フォルダ表示エリアＳ１にツリー状に表示される。
【００５６】
図３に示すフォルダ表示状態においては、展開されたフォルダＦのうち、複数個の下位のフォルダＦの名称Ｎの一部が、フォルダ表示エリアＳ１からはみ出している。
【００５７】
そこで、この実施形態では、フォルダ名称Ｎのはみ出した部位Ｎａを半透明化してファイル表示エリアで表示させるものとしている。図３において、破線で囲った部分Ｎａが半透明化された部分を示している。
【００５８】
図４は、図３の状態からさらにフォルダ横のプラスサインをクリックして、下位のフォルダを展開した状態を示している。フォルダ表示エリアＳ１とファイル表示エリアＳ２の初期状態における境界線Ｌ’を破線で示す。この境界線Ｌ’の位置から理解されるように、この境界線Ｌ’の位置では、展開された最下位のフォルダＦ１〜Ｆ３のアイコンＩ１〜Ｉ３がフォルダ表示エリアＳ１に表示しきれずはみ出すことになる。
【００５９】
そこで、この実施形態では、展開した最下位のフォルダＦ１〜Ｆ３のアイコンＩ１〜Ｉ３と望ましくはその名称Ｎの一部がフォルダ表示エリアＳ１に表示されるように、境界線Ｌを実線で示す位置まで移動して、フォルダ表示エリアＳ１を拡大する。勿論、この場合も、フォルダ表示エリアＳ１に表示しきれないフォルダ名称部分Ｎａは、半透明化して表示されている。
【００６０】
次に、あるフォルダＦが直接クリックされた場合には、ユーザがそのフォルダＦの内容の閲覧を希望しているものとみなして、次のような動作が行われる。
【００６１】
即ち、図５に示すように、フォルダ表示エリアＳ１に表示しきれないフォルダ名称部分Ｎａの半透明化表示を解除した上で、フォルダ表示エリアＳ１とファイル表示エリアＳ２の境界線Ｌを、図２に示す展開前の初期位置に戻す。換言すれば、フォルダ表示エリアＳ１のサイズを初期設定に戻す。これにより、ファイル表示エリアＳ２が拡大し、ファイル表示エリアＳ２に表示されたクリックに係るフォルダＦの内容を良好に視認することができる。なお、図５では、フォルダＦ４がクリックされた状態を示している。
【００６２】
また、フォルダＦが直接クリックされた場合の他の例を、図６に示す。図６では、フォルダＦ５がクリックされた場合を示している。
【００６３】
図６に示すように、フォルダ表示エリアＳ１に表示しきれないフォルダ名称部分Ｎａの半透明化表示を解除した上で、フォルダ表示エリアＳ１とファイル表示エリアＳ２の境界線Ｌを、クリックされたフォルダＦ５の位置まで戻す。この場合も、ファイル表示エリアＳ２が拡大し、ファイル表示エリアＳ２に表示されたクリックに係るフォルダＦ５の内容を良好に視認することができる。
【００６４】
なお、フォルダＦが直接クリックされた場合に、フォルダ表示エリアＳ１を縮小する方向に境界Ｌを移動させることなく、半透明化されているフォルダ名称部分Ｎａの半透明化表示のみを解除する構成としても良い。
【００６５】
次に、上記構成のフォルダ管理装置において、フォルダＦの展開指示がなされたときのフォルダ階層展開処理の流れを図７のフロチャートを参照して説明する。
【００６６】
図７において、Ｓ１０１で判定処理部３２は、例えば図２の初期画面において、フォルダ（フォルダアイコンＩを含む）Ｆが直接クリックされることによる指示か否かを判断する。フォルダＦが直接クリックされたものであれば（Ｓ１０１の判定がＹＥＳ）、Ｓ１０６に進む。
【００６７】
フォルダＦが直接クリックされていなければ（Ｓ１０１の判定がＮＯ）、フォルダ左端のプラスサイン（「＋」）Ｐ１かマイナスサイン（「−」）Ｐ２のクリックによる指示であるから、フォルダ展開のための操作と見なしてＳ１０２に進み、判定処理部３２はフォルダ展開後に表示しきれないアイコンＩが存在するか否か（アイコンＩがフォルダ表示エリアＳ１からはみ出すか否か）を判断する。
【００６８】
表示しきれないアイコンＩが存在しなければ（Ｓ１０２の判定がＮＯ）、Ｓ１０３に進む。表示しきれないアイコンＩが存在すれば（Ｓ１０２の判定がＹＥＳ）、Ｓ１０４で表示処理部３１は、はみ出したアイコンＩと望ましくはフォルダ名称の一部がフォルダ表示エリアＳ１に表示されるように、ファイル表示エリアＳ２との境界Ｌを移動してエリアＳ２の幅を広げ、Ｓ１０３に進む。
【００６９】
これにより、プラスサインＰ１がクリックされて階層展開された場合のすべてのフォルダアイコンＩがフォルダ表示エリアＳ１内に表示される。
【００７０】
Ｓ１０３では、判定処理部３２が、フォルダ名称Ｎを表示しきれない（フォルダ表示エリアＳ１からはみ出す）フォルダＦが存在するか否かを判断し、フォルダ名称Ｎを表示しきれないフォルダＦが存在しなければ（Ｓ１０３の判定がＮＯ）、そのまま処理を終了する。フォルダ名称Ｎを表示しきれないフォルダＦが存在すれば（Ｓ１０３の判定がＹＥＳ）、Ｓ１０５で表示処理部３１は、フォルダ名称Ｎの表示しきれない部分Ｎａを図３に示すように半透明化して表示させ処理を終了する。
【００７１】
このように、フォルダＦの階層展開によってフォルダ表示エリアＳ１からはみ出したフォルダ名称Ｎが自動的に半透明化されることにより、ユーザは、フォルダ表示エリアＳ１からはみ出したフォルダ名称Ｎを表示させるためにフォルダ表示エリアＳ１を拡大したりする煩わしい操作をしなくても、そのままでフォルダの検索等が容易に行える。
【００７２】
Ｓ１０１において、前記フォルダＦの階層展開がフォルダＦが直接クリックされて実行されたものあれば、そのフォルダＦの内容（フォルダに含まれるファイル群）を閲覧するものであるとみなし、Ｓ１０６で、表示処理部３１は半透明化表示部分Ｎａがあればこの表示をキャンセルした後、Ｓ１０７に進む。
【００７３】
次いで、Ｓ１０７で判定処理部３２は、フォルダ表示エリアＳ１とファイル表示エリアＳ２との境界Ｌが初期の位置にあるか否か（フォルダ表示エリアＳ１が初期の大きさであるか否か）を判断する。
【００７４】
フォルダ表示エリアＳ１とファイル表示エリアＳ２との境界Ｌが初期の位置にあれば（Ｓ１０７の判定がＹＥＳ）、ファイル表示エリアＳ２が十分確保されているので、そのまま処理を終了する。フォルダ表示エリアＳ１とファイル表示エリアＳ２との境界Ｌが初期の位置になければ（Ｓ１０７の判定がＮＯ）、Ｓ１０８で表示処理部３１は、境界Ｌを、クリックされたフォルダＦがなんとかフォルダ表示エリアＳ１内に表示できる位置（図６参照）かまたは初期の位置（図５参照）に戻して、ファイル表示エリアＳ２を十分確保した後、処理を終了する。
【００７５】
このように、フォルダＦ自体がクリックされることによるフォルダ展開指示があった場合には、自動的に、フォルダ名称Ｎの半透明化表示が解除されると共にファイル表示エリアＳ２が十分確保されるので、ファイル内容の閲覧を良好に行うことができる。
【図面の簡単な説明】
【００７６】
【図１】この発明の一実施形態に係るフォルダ管理装置を示すブロック図である。
【図２】フォルダ管理装置における表示手段に表示されたフォルダ展開前の初期画面を示す図である。
【図３】同じく下位フォルダが展開表示されたフォルダツリー構造図を示す図である。
【図４】図３の状態からさらに下位フォルダが展開表示されたフォルダツリー構造図を示す明図である。
【図５】フォルダを直接クリックした際の表示装置の表示画面の一例を示す図である。
【図６】同じくフォルダを直接クリックした際の表示装置の表示画面の他の例を示す図である。
【図７】フォルダの階層展開処理の流れを示すフローチャートである。
【符号の説明】
【００７７】
１・・・・・・・・・・表示装置（表示手段）
２・・・・・・・・・・位置入力装置（入力手段）
３１・・・・・・・・・表示処理部（表示処理手段）
３２・・・・・・・・・判定処理部（判定手段）
Ｆ・・・・・・・・・・フォルダ
Ｉ・・・・・・・・・・フォルダのアイコン
Ｌ・・・・・・・・・・境界
Ｎ・・・・・・・・・・フォルダ名称
Ｎａ・・・・・・・・・半透明化部分
Ｐ１・・・・・・・・・プラスサイン
Ｐ２・・・・・・・・・マイナスサイン
Ｓ１・・・・・・・・・フォルダ表示エリア
Ｓ２・・・・・・・・・ファイル表示エリア
Ｗ・・・・・・・・・・ウィンドウ
【図１】
2005190369.tif 000003
【図２】
2005190369.tif 000004
【図３】
2005190369.tif 000005
【図４】
2005190369.tif 000006
【図５】
2005190369.tif 000007
【図６】
2005190369.tif 000008
【図７】
2005190369.tif 000009